(57)【要約】【課題】制御盤の改造及び取替え作業において作業効率を向上させることのできる制御盤作業台を得ることにある。【解決手段】制御盤１の上端面で支持される上端支持部２０と、制御盤１の設置床面で支持される下端支持部１９と、制御盤１のデスク部３の上方に配置され作業員を載置させる作業床１０とを具備することを特徴とする。【選択図】図１
2007082353.tif 000002
【特許請求の範囲】
【請求項１】
制御盤の上端面で支持される上端支持部と、制御盤の設置床面で支持される下端支持部と
、制御盤のデスク部の上方に配置され作業員を載置させる作業床とを具備することを特徴
とする制御盤作業台。
【請求項２】
前記上端支持部および下端支持部には制御盤作業台を横方向移動自在とさせる上部ロー
ラおよび下部ローラが配設されることを特徴とする請求項１記載の制御盤作業台。
【請求項３】
請求項１記載の制御盤作業台には制御盤の高さに合うよう高さ調整ができる高さ調整機構
が設けられていることを特徴とする制御盤作業台。
【請求項４】
デスク型制御盤前面部の表示パネルの改造及び取替え作業時に請求項１から３の何れか
１項記載の制御盤作業台を制御盤の上端面および床面の設置して前記作業を実施すること
を特徴とする制御盤の改造取替え作業方法。
【請求項５】
請求項１から３の何れか１項記載の制御盤作業台の本体を保持する保持部と、この保
持部によって前記制御盤作業台を持ち上げその状態で固定する固定機構と、前記制御盤
作業台を持ち上げた状態で移動させる移動機構を具備することを特徴とする制御盤作業
台移動台車。
【発明の詳細な説明】
【技術分野】
【０００１】
本発明は、制御盤前面部の表示パネルの改造及び取替え等の作業に使用する制御盤作業
台及び制御盤の改造取替え作業方法、制御盤作業台移動台車に関する。
【背景技術】
【０００２】
図４はデスク型の制御盤１前面部の表示パネル２の改造状況を説明する斜視図である。
【０００３】
客先仕様追加または定検作業により、計器７が配設された制御盤１前面部の表示パネル
２の改造及び消耗品の取替え作業が必要になった場合には作業員５２は安全靴５０を脱ぎ
、踏み台５１を使用して制御盤１のデスク部３へ登り、操作ハンドル４や操作スイッチ５
を避けながら前へ進み、表示パネル２の改造及び消耗品の取替え作業を行なっていた。
【特許文献１】特開平７−１７７６１６号公報
【発明の開示】
【発明が解決しようとする課題】
【０００４】
上述した従来の制御盤前面部の表示パネルの改造及び取替え作業では、足の踏み場となる
デスク部に取り付けられている操作ハンドルや操作スイッチをさけての作業また、デスク
部は傾斜になっていたため不安定な態勢での作業により作業効率が悪いという課題があっ
た。
【課題を解決するための手段】
【０００５】
上記目的を達成するために本発明においては、制御盤の上端面で支持される上端支持部と
、制御盤の設置床面で支持される下端支持部と、制御盤のデスク部の上方に配置され作業
員を載置させる作業床とを具備することを特徴とする制御盤作業台を提供する。
【０００６】
また、本発明においては、デスク型制御盤前面部の表示パネルの改造及び取替え作業時に
上記制御盤作業台を制御盤の上端面および床面の設置して前記作業を実施することを特徴
とする制御盤の改造取替え作業方法を提供する。
【０００７】
さらに、本発明においては、上記制御盤作業台の本体を保持する保持部と、この保持部に
よって前記制御盤作業台を持ち上げその状態で固定する固定機構と、前記制御盤作業台を
持ち上げた状態で移動させる移動機構を具備することを特徴とする制御盤作業台移動台車
を提供する。
【発明の効果】
【０００８】
本発明の制御盤作業台及び制御盤の改造取替え作業方法、制御盤作業台移動台車において
は、作業者が制御盤のデスク部に登っての作業がなくなるため、デスク部に取り付けられ
ている操作ハンドルや操作スイッチの保護ができ、併せて作業効率を向上させることがで
きる。
【発明を実施するための最良の形態】
【０００９】
以下に本発明の実施の形態を図１に基づき説明する。
【００１０】
図１は、デスク型制御盤前面部の表示パネルの改造及び取替えの作業を示す斜視図であ
る。
【００１１】
原子力発電所では年1度の定期検査のため運転を停止する。その際、客先仕様変更による
改造または消耗品交換のため、制御盤１の操作パネル、計器類の改造または消耗品交換を
実施する。デスク型制御盤１については、デスク部が突起しているため、デスク型制御盤
作業台６を用いて作業を実施する。
【００１２】
デスク型制御盤作業台６の形態は、制御盤作業台６の設置床面に設置される下部ローラ８
と制御盤１の上面に設置される上部ローラ９があり、制御盤１の左右に設置された列盤１
８への作業移動が容易にできる構造となっている。
【００１３】
下部ローラ８および上部ローラ９のローラ軸部には図示しないばねが配設されており、作
業中は自重でデスク型制御盤作業台６の下端支持部１９および上端支持部２０が床面およ
び制御盤１の上面に定着し固定される仕組みとなっている。 骨組みは軽量を計るため軽
金属たとえばアルミでできており、制御盤作業台６に設けられた作業床１０はチェッカ−
プレートでできている。また、作業員５２の落下防止のために作業床１０の上方左右２箇
所に手摺１１が取り付けられている。
【００１４】
デスク型制御盤用作業台６の荷重は下部ローラ８が配設された下端支持部１９、上部ロー
ラ部９が配設された上端支持部２０の２箇所のみ荷重がかかる構造となっており、盤前面
及びデスク部３には荷重がかからないため盤表面の歪み及び計器７、操作ハンドル４、操
作スイッチ５の損傷が生じない。
【００１５】
また、デスク型制御盤用作業台６の下部および上部には高さ調整１２ができる高さ調整機
構１２a、１２bが設置されておりこの高さ調整機構１２a、１２bにより、デスク部３等の
高さの相違するデスク型制御盤１各々に対応することができる。
【００１６】
次に本発明の第２の実施の形態を図２および図３を参照して説明する。
【００１７】
図２はデスク型制御盤用作業台移動台車の斜視図である。また、図３はデスク型制御盤か
ら作業台を作業台移動台車にて取り外しを行なっている作業状態を説明する斜視図である
。
【００１８】
デスク型制御盤作業台６の取り外しは、デスク型制御盤作業台６の脚６aに移動車１３の
フック１４を固定し、起立バー１５を強く踏み込みこの起立バー１５を起立バー固定金具
１６に固定する。その状態で移動式台車バー１７をつかみ次の改造、交換を行なうデスク
型制御盤１へ移動し設定する。
【００１９】
とって、このデスク型制御盤用作業台移動台車１３によってデスク型制御盤作業台６を
容易に他の場所に設置することができる。
【００２０】
以上説明したように、本発明の制御盤作業台においては、作業者が制御盤のデスク部に登
っての作業がなくなるため、デスク部に取り付けられている操作ハンドル４や操作スイッ
チ５の保護ができる。
【００２１】
また、専用作業台として本発明のデスク型制御盤1作業台を用いるため、デスク部３の傾
斜による不安定な作業がなくなり、安全な作業ができる。
【００２２】
さらに、デスク型制御盤作業台６が左右に移動できるため、作業台車の移動がスムーズに
でき作業効率を計れることである。
【００２３】
また、デスク型制御盤作業台６の荷重がデスク型制御盤１前面部にかからない構造により
、デスク型制御盤１表面の歪み及び計器７、操作ハンドル４、操作スイッチ５の損傷が生
じない。
【００２４】
さらに、デスク型制御盤１の高さに合うよう高さ調整機構１２により高さ調整ができるた
め複数の制御盤に対する作業台が兼用でき、利用効率の向上を計ることができる。
【００２５】
また、デスク型制御盤作業台６を移動台車１３にて別の場所にスムーズに移動できるため
、作業効率を計ることができる。
【図面の簡単な説明】
【００２６】
【図１】デスク型制御盤前面部の表示パネルの改造取替えの作業を説明する斜視図。
【図２】デスク型制御盤用作業台移動台車の斜視図。
【図３】デスク型制御盤から作業台を作業台移動台車にて取り外しを行なっている作業状態を説明する斜視図。
【図４】従来のデスク型制御盤前面部の表示パネルの改造作業を説明する斜視図。
【符号の説明】
【００２７】
１…デスク型制御盤
２…表示パネル  
３…デスク部  
４…操作ハンドル      
５…操作スイッチ  
６…デスク型制御盤作業台  
７…計器  
８…下部ローラ    
９…上部ローラ   
１０…作業床  
１１…手摺  
１２a、１２b…高さ調整機構
１３…デスク型制御盤作業台移動台車  
１４…移動台車フック 
１５…移動台車起立バー  
１６…移動台車起立バー固定金具
１７…移動台車バー
１８…列盤
１９…下端支持部
２０…上端支持部
５０…安全靴  
５１…踏み台
５２…作業員
【図１】
2007082353.tif 000003
【図２】
2007082353.tif 000004
【図３】
2007082353.tif 000005
【図４】
2007082353.tif 000006